(57)【要約】  本発明の目的は、作業者が複数の階層に跨る設備を効率良く点検できるようにすることである。設備点検支援装置は、点検業務において点検対象とされる第１の階層の設備の配置を示す第１の配置図、および、第２の階層の設備の配置を示す第２の配置図を保持する記憶手段と、第１の階層の設備の点検箇所を示す第１のアイコン、および、第２の配置図に対するリンクを表す第２のアイコンを、第１の配置図に重ねてディスプレイに表示する表示手段と、ディスプレイ上の第１のアイコンが選択された場合、第１の階層の設備の点検結果を入力または表示するための画面を前記ディスプレイに表示し、ディスプレイ上の第２のアイコンが選択された場合、第２の階層の設備の点検箇所を示す第３のアイコンを第２の配置図に重ねてディスプレイに表示するように表示手段に指示する制御手段と、を備える。
2014002902.tif 000002
【特許請求の範囲】
【請求項１】
点検業務において点検対象とされる第１の階層の設備の配置を示す第１の配置図、および、第２の階層の設備の配置を示す第２の配置図を保持する記憶手段と、
前記第１の階層の設備の点検箇所を示す第１のアイコン、および、前記第２の配置図に対するリンクを表す第２のアイコンを、前記第１の配置図に重ねてディスプレイに表示する表示手段と、
前記ディスプレイ上の前記第１のアイコンが選択された場合、前記第１の階層の設備の点検結果を入力または表示するための画面を前記ディスプレイに表示し、前記ディスプレイ上の前記第２のアイコンが選択された場合、前記第２の階層の設備の点検箇所を示す第３のアイコンを前記第２の配置図に重ねて前記ディスプレイに表示するように前記表示手段に指示する制御手段と、を備える、設備点検支援装置。
【請求項２】
前記制御手段は、表示した画面に入力された前記第１の階層の設備の点検結果に応じて、前記第１の配置図上における前記第１のアイコンの表示態様を変更するように前記表示手段に指示する、請求項１に記載の設備点検支援装置。
【請求項３】
前記制御手段は、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更するように前記表示手段に指示する、請求項１または２に記載の設備点検支援装置。
【請求項４】
前記制御手段は、前記ディスプレイに表示された前記第１の配置図上の所定の箇所への入力を検出した場合、前記第１の階層において点検対象とされる新たな設備の点検箇所を示す第４のアイコンを、前記第１の配置図上の前記所定の箇所に表示するように前記表示手段に指示する、請求項１ないし３のいずれか１項に記載の設備点検支援装置。
【請求項５】
前記制御手段は、前記ディスプレイ上の前記第４のアイコンが選択された場合、前記新たな設備の点検結果を入力または表示するための画面を前記ディスプレイに表示するように前記表示手段に指示する、請求項４に記載の設備点検支援装置。
【請求項６】
前記所定の箇所への入力は、前記ディスプレイがタッチパネルである場合には、前記ディスプレイに対する所定の期間以上の接触である、請求項４または５に記載の設備点検支援装置。
【請求項７】
前記制御手段は、前記第１の階層の設備のうちの点検済みの設備同士を点検順に結んだ経路、および、前記第１の階層の設備のうちの最後に点検した設備から次に点検すべき設備への経路を、前記第１の配置図に重ねて前記ディスプレイに表示するように前記表示手段に指示する、請求項１ないし６のいずれか１項に記載の設備点検支援装置。
【請求項８】
スマートフォン、タブレット端末、ノート型ＰＣ（Personal Computer）その他のモバイル端末である、請求項１ないし７のいずれか１項に記載の設備点検支援装置。
【請求項９】
コンピュータが、点検業務において点検対象とされる第１の階層の設備の配置を示す第１の配置図、および、第２の階層の設備の配置を示す第２の配置図を記憶手段に保持する工程と、
前記第１の階層の設備の点検箇所を示す第１のアイコン、および、前記第２の配置図に対するリンクを表す第２のアイコンを、前記第１の配置図に重ねてディスプレイに表示する工程と、
前記ディスプレイ上の前記第１のアイコンが選択された場合、前記第１の階層の設備の点検結果を入力または表示するための画面を前記ディスプレイに表示する工程と、
前記ディスプレイ上の前記第２のアイコンが選択された場合、前記第２の階層の設備の点検箇所を示す第３のアイコンを前記第２の配置図に重ねて前記ディスプレイに表示する工程と、を含む、設備点検支援方法。
【請求項１０】
前記コンピュータが、表示した画面に入力された前記第１の階層の設備の点検結果に応じて、前記第１の配置図上における前記第１のアイコンの表示態様を変更する工程を含む、請求項９に記載の設備点検支援方法。
【請求項１１】
前記コンピュータが、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する工程を含む、請求項９または１０に記載の設備点検支援方法。
【請求項１２】
点検業務において点検対象とされる第１の階層の設備の配置を示す第１の配置図、および、第２の階層の設備の配置を示す第２の配置図を記憶手段に保持する処理と、
前記第１の階層の設備の点検箇所を示す第１のアイコン、および、前記第２の配置図に対するリンクを表す第２のアイコンを、前記第１の配置図に重ねてディスプレイに表示する処理と、
前記ディスプレイ上の前記第１のアイコンが選択された場合、前記第１の階層の設備の点検結果を入力または表示するための画面を前記ディスプレイに表示する処理と、
前記ディスプレイ上の前記第２のアイコンが選択された場合、前記第２の階層の設備の点検箇所を示す第３のアイコンを前記第２の配置図に重ねて前記ディスプレイに表示する処理と、をコンピュータに実行させる、プログラム。
【請求項１３】
表示した画面に入力された前記第１の階層の設備の点検結果に応じて、前記第１の配置図上における前記第１のアイコンの表示態様を変更する処理を、前記コンピュータに実行させる、請求項１２に記載のプログラム。
【請求項１４】
前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する処理を、前記コンピュータに実行させる、請求項１２または１３に記載のプログラム。
【発明の詳細な説明】
【技術分野】
【０００１】
（関連出願についての記載）
本発明は、日本国特許出願：特願２０１２−１４２７９８号（２０１２年６月２６日出願）の優先権主張に基づくものであり、同出願の全記載内容は引用をもって本書に組み込み記載されているものとする。
本発明は、設備点検支援装置、設備点検支援方法およびプログラムに関し、特に、作業員が効率良く設備を点検できるように支援する設備点検支援装置、設備点検支援方法およびプログラムに関する。
【背景技術】
【０００２】
現代社会においては、様々な設備に対する点検作業が行われている。例えば、ビル、マンション、ホテルなどの建物に設置された電気設備の点検、自動車、電気製品などの生産ラインにおける工作機械の点検、オフィスに設置された情報通信機器の点検などが、設備を管理する業者の作業員や、設備を利用する利用者自身によって行われている。【０００３】
一例として、特許文献１には、調査員が電気設備の定期調査を効率良く行うための支援システムが記載されている。
【先行技術文献】
【特許文献】
【０００４】
【特許文献１】特開２００８−１４０３１７号公報
【発明の概要】
【発明が解決しようとする課題】
【０００５】
以下の分析は、本発明者によってなされたものである。【０００６】
特許文献１に記載された支援システムは、電気設備が配置された構造物の見取り図を表示するとともに、点検すべき電気設備の配置箇所を示すマークを見取り図中に表示したり、調査時のノウハウを文章化したコメントを見取り図中に挿入する機能を有する。これらの機能によると、作業者が事前に電気設備の配置箇所を知っている必要がなくなると同時に、作業者のノウハウを蓄積して後の定期調査に引き継ぐことも可能となる。【０００７】
ところで、大規模な点検作業においては、点検項目が多岐に亘り、点検対象となる設備の数も多数となる場合がある。特に、高層ビル、工場、プラントのような大規模な設備を点検する場合、設備が複数の階層に跨る場合がある。一例として、ビル内の電気設備を点検する場合には、「ビル全体」に関連する電気設備が「第１の（最上位の）階層」の設備に相当し、「各フロア（階）」に対して設けられた電気設備が「第２の階層」の設備に相当し、「各フロアの各部屋」に設置された電気設備が「第３の階層」の設備に相当すると見なすことができる。【０００８】
このようなビル内の電気設備の点検を行う場合、作業者は、第１の階層の設備を点検する際、ビル全体の構造とともに第１の階層の設備の配置を示した配置図を参照する必要がある。また、作業者は、第２の階層の設備を点検する際、各フロアのレイアウトとともに第２の階層の設備の配置を示したより詳細な配置図を参照する必要がある。さらに、作業者は、第３の階層の設備を点検する際、各部屋のレイアウトとともに第３の階層の設備の配置を示したさらに詳細な配置図を参照する必要がある。【０００９】
このように、被点検設備が複数の階層に跨る場合、作業者は、点検作業の際、各階層の配置図として複数の紙ベースの配置図を携行しなければならず、非常に煩わしい上、作業効率の低下を招くという問題がある。また、異なる階層の設備を点検する都度、携行した複数の配置図の中から該当する配置図を探し出さなければならないという問題もある。【００１０】
特許文献１に記載された支援システムは移動型（モバイル型）ではなく、作業者が作業現場において使用することはできない上、点検対象の設備が複数の階層に跨ることも考慮されていない。したがって、特許文献１に記載された支援システムによると、上述の問題を解消することができない。【００１１】
そこで、作業者が複数の階層に跨る設備を効率良く点検できるようにすることが課題となる。本発明の目的は、かかる課題を解決する設備点検支援装置、設備点検支援方法およびプログラムを提供することにある。
【課題を解決するための手段】
【００１２】
本発明の第１の視点に係る設備点検支援装置は、
点検業務において点検対象とされる第１の階層の設備の配置を示す第１の配置図、および、第２の階層の設備の配置を示す第２の配置図を保持する記憶手段と、
前記第１の階層の設備の点検箇所を示す第１のアイコン、および、前記第２の配置図に対するリンクを表す第２のアイコンを、前記第１の配置図に重ねてディスプレイに表示する表示手段と、
前記ディスプレイ上の前記第１のアイコンが選択された場合、前記第１の階層の設備の点検結果を入力または表示するための画面を前記ディスプレイに表示し、前記ディスプレイ上の前記第２のアイコンが選択された場合、前記第２の階層の設備の点検箇所を示す第３のアイコンを前記第２の配置図に重ねて前記ディスプレイに表示するように前記表示手段に指示する制御手段と、を備える。【００１３】
本発明の第２の視点に係る設備点検支援方法は、
コンピュータが、点検業務において点検対象とされる第１の階層の設備の配置を示す第１の配置図、および、第２の階層の設備の配置を示す第２の配置図を記憶手段に保持する工程と、
前記第１の階層の設備の点検箇所を示す第１のアイコン、および、前記第２の配置図に対するリンクを表す第２のアイコンを、前記第１の配置図に重ねてディスプレイに表示する工程と、
前記ディスプレイ上の前記第１のアイコンが選択された場合、前記第１の階層の設備の点検結果を入力または表示するための画面を前記ディスプレイに表示する工程と、
前記ディスプレイ上の前記第２のアイコンが選択された場合、前記第２の階層の設備の点検箇所を示す第３のアイコンを前記第２の配置図に重ねて前記ディスプレイに表示する工程と、を含む。【００１４】
本発明の第３の視点に係るプログラムは、
点検業務において点検対象とされる第１の階層の設備の配置を示す第１の配置図、および、第２の階層の設備の配置を示す第２の配置図を記憶手段に保持する処理と、
前記第１の階層の設備の点検箇所を示す第１のアイコン、および、前記第２の配置図に対するリンクを表す第２のアイコンを、前記第１の配置図に重ねてディスプレイに表示する処理と、
前記ディスプレイ上の前記第１のアイコンが選択された場合、前記第１の階層の設備の点検結果を入力または表示するための画面を前記ディスプレイに表示する処理と、
前記ディスプレイ上の前記第２のアイコンが選択された場合、前記第２の階層の設備の点検箇所を示す第３のアイコンを前記第２の配置図に重ねて前記ディスプレイに表示する処理と、をコンピュータに実行させる。【００１５】
なお、プログラムは、コンピュータ読み取り可能な記録媒体（non-transitory computer-readable storage medium）に記録されたプログラム製品として提供することができる。
【発明の効果】
【００１６】
本発明に係る設備点検支援装置、設備点検支援方法およびプログラムによると、作業者が複数の階層に跨る設備を効率良く点検することが可能となる。
【図面の簡単な説明】
【００１７】
【図１】実施形態に係る設備点検支援装置の構成を一例として示すブロック図である。
【図２】実施形態に係る設備点検支援装置の動作を一例として示すフロー図である。
【図３】第１の階層の設備の配置を示す第１の配置図がディスプレイに表示された状態を示す図である。
【図４】第１の階層の設備の点検結果を入力または表示するための画面がディスプレイに表示された状態を示す図である。
【図５】第２の階層の設備の配置を示す第２の配置図がディスプレイに表示された状態を示す図である。
【図６】点検済みの設備同士を点検順に結んだ経路、および、最後に点検した設備から次に点検すべき設備への経路がディスプレイに表示された状態を示す図である。
【発明を実施するための形態】
【００１８】
（実施形態）
実施形態に係る設備点検支援装置について、図面を参照しつつ詳細に説明する。図１は、本実施形態に係る設備点検支援装置１０の構成を一例として示すブロック図である。図１を参照すると、設備点検支援装置１０は、記憶手段１１、表示手段１２、ディスプレイ１３、および、制御手段１４を備える。設備点検支援装置１０は、スマートフォン、タブレット端末、ノート型ＰＣ（Personal Computer）その他のモバイル端末であってもよいが、これらに限定されない。また、ディスプレイ１３は、一例として、タッチパネルであってもよい。
【００１９】
なお、以下では、一例として、点検対象とされる設備が２つの階層（上位の階層から順に階層Ｌ１、Ｌ２とする。）に跨る場合について説明するが、階層の数は３つ以上であってもよい。
【００２０】
記憶手段１１は、点検業務において点検対象とされる階層Ｌ１の設備の配置を示す配置図（配置図Ｆ１とする。）と、階層Ｌ２の設備の配置を示す第２の配置図（配置図Ｆ２とする。）を保持する。
【００２１】
表示手段１２は、階層Ｌ１の設備の点検箇所を示すアイコン（アイコンＩＣ１とする。）と、配置図Ｆ２に対するリンクを表すアイコン（アイコンＩＣ２とする。）を、配置図Ｆ１に重ねてディスプレイ１３に表示する。
【００２２】
制御手段１４は、ディスプレイ１３上のアイコンＩＣ１が選択された場合、階層Ｌ１の設備の点検結果を入力または表示するための画面をディスプレイ１３に表示するように、表示手段１２に指示する。一方、制御手段１４は、ディスプレイ１３上のアイコンＩＣ２が選択された場合、階層Ｌ２の設備の点検箇所を示す第３のアイコン（アイコンＩＣ３とする。）を配置図Ｆ２に重ねてディスプレイ１３に表示するように表示手段１２に指示する。ここで、ディスプレイ１３がタッチパネルである場合、アイコンの選択とは、アイコンが表示された箇所への接触が検出されることをいう。また、設備点検支援装置１０が音声入力機能を有する場合、ユーザの音声入力に応じてアイコンが選択されるようにしてもよい。ただし、アイコンの選択方法は、これらに限定されない。
【００２３】
次に、設備点検支援装置１０の動作について、図面を参照して説明する。図２は、設備点検支援装置１０の動作を一例として示すフロー図である。
【００２４】
図２を参照すると、記憶手段１１は、点検業務において点検対象とされる階層Ｌ１の設備の配置を示す配置図Ｆ１、および、階層Ｌ２の設備の配置を示す配置図Ｆ２を保持する（ステップＳ１）。
【００２５】
表示手段１２は、階層Ｌ１の設備の点検箇所を示すアイコンＩＣ１、および、配置図Ｆ２に対するリンクを表すアイコンＩＣ２を、配置図Ｆ１に重ねてディスプレイ１３に表示する（ステップＳ２）。
【００２６】
制御手段１４は、ディスプレイ１３上のアイコンＩＣ１が選択された場合（ステップＳ３のＹｅｓ）、階層Ｌ１の設備の点検結果を入力または表示するための画面をディスプレイ１３に表示するように、表示手段１２に指示する（ステップＳ４）。
【００２７】
また、制御手段１４は、ディスプレイ１３上のアイコンＩＣ２が選択された場合（ステップＳ５のＹｅｓ）、階層Ｌ２の設備の点検箇所を示すアイコンＩＣ３を配置図Ｆ２に重ねてディスプレイ１３に表示するように、表示手段１２に指示する（ステップＳ６）。
【００２８】
設備点検支援装置１０によると、作業者が複数の階層に跨る設備を効率良く点検することが可能となる。作業者は、被点検設備が複数の階層に跨る場合であっても、各階層の配置図として複数の紙ベースの配置図を携行する必要がなくなるとともに、他の階層の設備の配置を示す図面へのリンクを辿ることで、他の階層に対する詳細な配置図に対して容易にアクセスすることができるからである。
【実施例】
【００２９】
以下では、具体的な実施例に基づいて、上記実施形態に係る設備点検支援装置１０の動作について説明する。一例として、「ＡＢＣ工場のＡ棟の１Ｆに設けられた設備の日次点検」を行う場合について説明する。設備点検支援装置１０は、作業者が容易に持ち運び得る携帯端末とする。【００３０】
また、ＡＢＣ工場のＡ棟１Ｆには、日次点検において点検対象とされる設備が配置された「機材保管倉庫」が含まれるものとする。ここでは、Ａ棟１Ｆを第１の階層Ｌ１とし、その一部である機材保管倉庫を第２の階層Ｌ２とする。なお、一例として、階層が２層である場合について説明するが、階層の数は３層以上であってもよいし、第１の階層には、複数の第２の階層が含まれていてもよい。【００３１】
記憶手段１１は、階層Ｌ１（Ａ棟１Ｆ）に含まれる設備の配置を示す配置図Ｆ１と、階層Ｌ２（機材保管倉庫）に含まれる設備の配置を示す配置図Ｆ２を保持する（図２のステップＳ１）。【００３２】
図３は、階層Ｌ１（Ａ棟１Ｆ）の設備の配置を示す配置図Ｆ１がディスプレイ１３に表示された状態を示す図である。図３を参照すると、表示手段１２は、階層Ｌ１（Ａ棟１Ｆ）の設備の点検箇所を示すアイコンＩＣ１１〜ＩＣ１３と、階層Ｌ２（機材保管倉庫）に含まれる設備の配置を示す配置図Ｆ２に対するリンクを表すアイコンＩＣ２１とを、配置図Ｆ１に重ねてディスプレイ１３に表示する（図２のステップＳ２）。ここでは、アイコンＩＣ１１は、階層Ｌ１の設備であるベルトコンベアーの点検箇所を示すアイコンとする。なお、図３には、配置図Ｆ２以外の配置図に対するリンクとして、アイコンＩＣ２２〜ＩＣ２４も表示されている。【００３３】
制御手段１４は、ディスプレイ１３上のアイコンＩＣ１１が選択された場合（図２のステップＳ３のＹｅｓ）、階層Ｌ１の設備であるベルトコンベアーの点検結果を入力または表示するための画面をディスプレイ１３に表示するように、表示手段１２に指示する（図２のステップＳ４）。【００３４】
図４は、階層Ｌ１の設備であるベルトコンベアーの点検結果を入力または表示するための画面がディスプレイ１３に表示された状態を示す図である。作業者は、点検結果として、文字データなどのメモを、図４に示した画面に記入することができる。また、作業者は、点検前後の設備を撮影した静止画、動画などを画面に追加することもできる。【００３５】
一方、制御手段１４は、ディスプレイ１３上のアイコンＩＣ２１が選択された場合（図２のステップＳ５のＹｅｓ）、階層Ｌ２（機材保管倉庫）の設備の点検箇所を示すアイコンを、配置図Ｆ２に重ねてディスプレイ１３に表示するように、表示部１２に指示する（図２のステップＳ６）。【００３６】
図５は、階層Ｌ２（機材保管倉庫）の設備の配置を示す配置図Ｆ２がディスプレイ１３に表示された状態を示す図である。図５を参照すると、階層Ｌ２（機材保管倉庫）の設備の点検箇所を示すアイコンＩＣ３１〜ＩＣ３６が、配置図Ｆ２上に表示されている。図５に示した右下のボタンＢ１は、上位の階層である階層Ｌ１（Ａ棟１Ｆ）の配置図Ｆ１に戻るためのボタンである。制御手段１４は、ボタンＢ１が選択されると、図５に示した画面表示を、図３に示した画面表示に切り替えるように、表示手段１２に指示する。【００３７】
設備点検支援装置１０によると、作業者は、被点検設備が階層Ｌ１、Ｌ２に跨る場合であっても、各階層の配置図として複数の紙ベースの配置図を携行する必要がなくなるとともに、他の階層の設備の配置を示す図面へのリンクを辿ることで、他の階層に対する詳細な配置図に対して容易にアクセスすることができる。したがって、設備点検支援装置１０によると、作業者が複数の階層に跨る設備を効率良く点検することが可能となる。【００３８】
制御手段１４は、図４の画面に入力された階層Ｌ１の設備であるベルトコンベアーの点検結果に応じて、配置図Ｆ１上におけるアイコンＩＣ１１の表示態様を変更するように、表示手段１２に指示することが好ましい。制御手段１４は、一例として、点検結果が「ＯＫ」である場合、アイコンＩＣ１１を「緑色」とし、点検結果が「注意喚起」状態である場合、アイコンＩＣ１１を「黄色」とし、点検結果が「警告」状態である場合、アイコンＩＣを「赤色」に変更するように、表示手段１２に指示してもよい。また、アイコンの表示態様として、アイコンの色を変更する代わりに、アイコンのサイズ、形状、模様などを変更するようにしてもよい。ただし、アイコンの表示態様は、これらに限定されない。【００３９】
図３を参照すると、アイコンＩＣ１１は黄色であり、アイコンＩＣ１２、ＩＣ１３は緑色である。したがって、階層Ｌ１（Ａ棟１Ｆ）に含まれる設備のうちのベルトコンベアーの点検結果のみが「注意喚起」状態であり、その他の設備の点検結果は「ＯＫ」となっている。【００４０】
図５を参照すると、アイコンＩＣ３１〜ＩＣ３４、ＩＣ３６は緑色である、アイコンＩＣ３５は赤色である。したがって、階層Ｌ２（機材保管倉庫）に含まれる設備のうちの、アイコンＩＣ３５に関連付けられた設備の点検結果みが「警告」状態であり、その他の設備の点検結果は「ＯＫ」となっている。【００４１】
図３および図５に示すように、点検結果に従ってアイコンの表示態様を変更することで、作業者は、各階層に含まれる複数の設備の状況を一目で把握することができる。【００４２】
図５の状態において、制御手段１４は、アイコンＩＣ３１が選択された場合、階層Ｌ２の設備であって、アイコンＩＣ３１に関連付けられた設備の点検結果を入力または表示するための画面をディスプレイ１３に表示する。ここで、表示される画面は、図４に示した画面と同様のものとすることができる。ここで、制御手段１４は、表示した画面に入力された点検結果に応じて、図５に示した配置図Ｆ２上におけるアイコンＩＣ３１の表示態様を変更するとともに、図３に示した配置図Ｆ１上におけるアイコンＩＣ２１の表示態様を変更するように、表示手段１２に指示することが好ましい。【００４３】
階層Ｌ２の配置図Ｆ２（図５）におけるアイコンＩＣ３１の表示態様は、上述したアイコンＩＣ１１の表示態様と同様に、点検結果に応じて変更することが好ましい。一方、階層Ｌ１の配置図Ｆ１（図３）におけるアイコンＩＣ２１の表示態様は、階層Ｌ２の設備の点検結果に従って次のように変更することが好ましい。【００４４】
一例として、制御手段１４は、階層Ｌ２内のすべての設備の点検結果が「ＯＫ」である場合、アイコンＩＣ２１を「緑色」とし、階層Ｌ２内のすべての設備の点検結果が「ＯＫ」または「注意喚起」状態であり、少なくとも１つ「注意喚起」状態である場合、アイコンＩＣ２１を「黄色」とし、それ以外の場合、すなわち、階層Ｌ２内の設備の点検結果のうちの少なくとも１つが「警告」状態である場合、アイコンＩＣ２１を「赤色」に変更するように、表示手段１２に指示することが考えられる。また、アイコンの表示態様として、アイコンの色を変更する代わりに、アイコンのサイズ、形状、模様などを変更するようにしてもよい。ただし、アイコンの表示態様は、これらに限定されない。【００４５】
このように、下位の階層Ｌ２の配置図Ｆ２に対するリンクを表すアイコン（例えば、図３のアイコンＩＣ２１）の表示態様を、上位の階層Ｌ１の配置図Ｆ１上で変更することにより、作業者は、下位の階層に含まれる設備の点検結果を、上位の階層の図面を参照しただけで把握することができる。【００４６】
図３を参照すると、制御手段１４は、ディスプレイ１３に表示された配置図Ｆ１上の所定の箇所への入力（例えば、ディスプレイ１３がタッチパネルである場合には、タッチパネル上の所定の箇所に対する長押し）を検出した場合、階層Ｌ１において点検対象とされる新たな設備の点検箇所を示すアイコンＩＣ４１を、配置図Ｆ１上の当該所定の箇所に表示するように、表示手段１２に指示してもよい。また、制御手段１４は、ディスプレイ１３上のアイコンＩＣ４１が選択された場合、新たな設備の点検結果を入力または表示するための画面をディスプレイ１３に表示するように、表示手段１２に指示することが好ましい。ここで、画面は、図４に示した画面と同様のものを採用することができる。【００４７】
かかる構成によると、点検作業の途中で点検すべき設備を追加する必要が生じた場合に、作業者は、各階層の配置図に対して新たな設備の情報を容易に追加することができる。【００４８】
制御手段１４は、階層Ｌ１の設備のうちの点検済みの設備同士を点検順に結んだ経路、および、階層Ｌ１の設備のうちの最後に点検した設備から次に点検すべき設備への経路を、配置図Ｆ１に重ねてディスプレイ１３に表示するように、表示手段１２に指示することが好ましい。ここで、設備を点検する順序および経路は予め記憶手段１１に記憶されており、制御手段１４は記憶手段１１に記憶された順序および経路に従って、上述の経路表示を行うものとする。【００４９】
図６は、点検済みの設備同士を点検順に結んだ経路Ｒ１〜Ｒ３、および、最後に点検した設備から次に点検すべき設備への経路Ｒ４がディスプレイ１３に表示された状態を示す図である。図６に示すように、点検済みの設備同士を点検順に結んだ経路Ｒ１〜Ｒ３と、最後に点検した設備から次に点検すべき設備への経路Ｒ４は、互いに区別できるように表示することが好ましい。例えば、一方を実線で表示し、他方を破線や点線で表示してもよい。ただし、経路の表示方法は、これらに限定されない。【００５０】
かかる構成によると、作業者は、点検済みの設備を容易に把握でき、次にどの設備の点検を行えばよいのかを容易に把握することができる。また、図６に示した経路Ｒ１〜Ｒ４の情報を、設備点検支援装置１０からサーバ（非図示）に送出することで、点検作業の監督者（責任者）は、作業現場から離れた場所において、点検の進捗状況や作業者の現在位置を把握することができる。特に、危険を伴う点検作業において、アクシデントの発生時に作業者の位置情報を素早く把握し、把握した位置情報に基づいて作業者を捜索することも可能となる。【００５１】
上記実施例では、一例として、「ＡＢＣ工場のＡ棟の１Ｆに設けられた設備の日次点検」を行う場合について説明したが、本発明に係る設備点検支援装置は、これ以外にも様々な点検作業に適用することができる。また、設備点検支援装置は、２階層に限らず、より多くの階層に跨る点検作業にも適用することができる。さらに、点検対象は工場、ビルなどの施設に限定されず、水道、電気、ガスなどのライフライン、自動車、電子機器などの製品、訪問介護、在宅医療における被介護者、患者などであってもよい。例えば、点検対象が自動車である場合には、車体を第１の階層とし、自動車の各モジュール（エンジン、ドア、空調機器など）を第２の階層とし、各モジュールに含まれる部品を第３の階層とみなすことができる。【００５２】
なお、上記の特許文献等の先行技術文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００５３】
１０    設備点検支援装置
１１    記憶手段
１２    表示手段
１３    ディスプレイ
１４    制御手段
Ｂ１    ボタン
Ｆ１、Ｆ２    配置図
ＩＣ１〜ＩＣ３  アイコン
ＩＣ１１〜ＩＣ１３、ＩＣ２１〜ＩＣ２４、ＩＣ３１〜ＩＣ３６、ＩＣ４１    アイコン
Ｒ１〜Ｒ４    経路
【図１】
2014002902.tif 000003
【図２】
2014002902.tif 000004
【図３】
2014002902.tif 000005
【図４】
2014002902.tif 000006
【図５】
2014002902.tif 000007
【図６】
2014002902.tif 000008
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
点検業務において点検対象とされる第１の階層の設備の配置を示す第１の配置図、および、第２の階層の設備の配置を示す第２の配置図を保持する記憶手段と、
前記第１の階層の設備の点検箇所を示す第１のアイコン、および、前記第２の配置図に対するリンクを表す第２のアイコンを、前記第１の配置図に重ねてディスプレイに表示する表示手段と、
前記ディスプレイ上の前記第１のアイコンが選択された場合、前記第１の階層の設備の点検結果を入力または表示するための画面を前記ディスプレイに表示し、前記ディスプレイ上の前記第２のアイコンが選択された場合、前記第２の階層の設備の点検箇所を示す第３のアイコンを前記第２の配置図に重ねて前記ディスプレイに表示するように前記表示手段に指示する制御手段と、を備え、
前記制御手段は、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更するように前記表示手段に指示する、設備点検支援装置。
【請求項２】
前記制御手段は、表示した画面に入力された前記第１の階層の設備の点検結果に応じて、前記第１の配置図上における前記第１のアイコンの表示態様を変更するように前記表示手段に指示する、請求項１に記載の設備点検支援装置。
【請求項３】
前記制御手段は、前記ディスプレイに表示された前記第１の配置図上の所定の箇所への入力を検出した場合、前記第１の階層において点検対象とされる新たな設備の点検箇所を示す第４のアイコンを、前記第１の配置図上の前記所定の箇所に表示するように前記表示手段に指示する、請求項１または２に記載の設備点検支援装置。
【請求項４】
前記制御手段は、前記ディスプレイ上の前記第４のアイコンが選択された場合、前記新たな設備の点検結果を入力または表示するための画面を前記ディスプレイに表示するように前記表示手段に指示する、請求項３に記載の設備点検支援装置。
【請求項５】
前記所定の箇所への入力は、前記ディスプレイがタッチパネルである場合には、前記ディスプレイに対する所定の期間以上の接触である、請求項３または４に記載の設備点検支援装置。
【請求項６】
前記制御手段は、前記第１の階層の設備のうちの点検済みの設備同士を点検順に結んだ経路、および、前記第１の階層の設備のうちの最後に点検した設備から次に点検すべき設備への経路を、前記第１の配置図に重ねて前記ディスプレイに表示するように前記表示手段に指示する、請求項１ないし５のいずれか１項に記載の設備点検支援装置。
【請求項７】
スマートフォン、タブレット端末、ノート型ＰＣ（Personal Computer）その他のモバイル端末である、請求項１ないし６のいずれか１項に記載の設備点検支援装置。
【請求項８】
コンピュータが、点検業務において点検対象とされる第１の階層の設備の配置を示す第１の配置図、および、第２の階層の設備の配置を示す第２の配置図を記憶手段に保持する工程と、
前記第１の階層の設備の点検箇所を示す第１のアイコン、および、前記第２の配置図に対するリンクを表す第２のアイコンを、前記第１の配置図に重ねてディスプレイに表示する工程と、
前記ディスプレイ上の前記第１のアイコンが選択された場合、前記第１の階層の設備の点検結果を入力または表示するための画面を前記ディスプレイに表示する工程と、
前記ディスプレイ上の前記第２のアイコンが選択された場合、前記第２の階層の設備の点検箇所を示す第３のアイコンを前記第２の配置図に重ねて前記ディスプレイに表示する工程と、
前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する工程と、を含む、設備点検支援方法。
【請求項９】
前記コンピュータが、表示した画面に入力された前記第１の階層の設備の点検結果に応じて、前記第１の配置図上における前記第１のアイコンの表示態様を変更する工程を含む、請求項８に記載の設備点検支援方法。
【請求項１０】
点検業務において点検対象とされる第１の階層の設備の配置を示す第１の配置図、および、第２の階層の設備の配置を示す第２の配置図を記憶手段に保持する処理と、
前記第１の階層の設備の点検箇所を示す第１のアイコン、および、前記第２の配置図に対するリンクを表す第２のアイコンを、前記第１の配置図に重ねてディスプレイに表示する処理と、
前記ディスプレイ上の前記第１のアイコンが選択された場合、前記第１の階層の設備の点検結果を入力または表示するための画面を前記ディスプレイに表示する処理と、
前記ディスプレイ上の前記第２のアイコンが選択された場合、前記第２の階層の設備の点検箇所を示す第３のアイコンを前記第２の配置図に重ねて前記ディスプレイに表示する処理と、
前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する処理と、をコンピュータに実行させる、プログラム。
【請求項１１】
表示した画面に入力された前記第１の階層の設備の点検結果に応じて、前記第１の配置図上における前記第１のアイコンの表示態様を変更する処理を、前記コンピュータに実行させる、請求項１０に記載のプログラム。
【手続補正２】
【補正対象書類名】明細書
【補正対象項目名】００１２
【補正方法】変更
【補正の内容】
【００１２】
本発明の第１の視点に係る設備点検支援装置は、
点検業務において点検対象とされる第１の階層の設備の配置を示す第１の配置図、および、第２の階層の設備の配置を示す第２の配置図を保持する記憶手段と、
前記第１の階層の設備の点検箇所を示す第１のアイコン、および、前記第２の配置図に対するリンクを表す第２のアイコンを、前記第１の配置図に重ねてディスプレイに表示する表示手段と、
前記ディスプレイ上の前記第１のアイコンが選択された場合、前記第１の階層の設備の点検結果を入力または表示するための画面を前記ディスプレイに表示し、前記ディスプレイ上の前記第２のアイコンが選択された場合、前記第２の階層の設備の点検箇所を示す第３のアイコンを前記第２の配置図に重ねて前記ディスプレイに表示するように前記表示手段に指示する制御手段と、を備える。
前記制御手段は、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更するように前記表示手段に指示する。
【手続補正３】
【補正対象書類名】明細書
【補正対象項目名】００１３
【補正方法】変更
【補正の内容】
【００１３】
本発明の第２の視点に係る設備点検支援方法は、
コンピュータが、点検業務において点検対象とされる第１の階層の設備の配置を示す第１の配置図、および、第２の階層の設備の配置を示す第２の配置図を記憶手段に保持する工程と、
前記第１の階層の設備の点検箇所を示す第１のアイコン、および、前記第２の配置図に対するリンクを表す第２のアイコンを、前記第１の配置図に重ねてディスプレイに表示する工程と、
前記ディスプレイ上の前記第１のアイコンが選択された場合、前記第１の階層の設備の点検結果を入力または表示するための画面を前記ディスプレイに表示する工程と、
前記ディスプレイ上の前記第２のアイコンが選択された場合、前記第２の階層の設備の点検箇所を示す第３のアイコンを前記第２の配置図に重ねて前記ディスプレイに表示する工程と、を含む。
前記設備点検支援方法は、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する工程を含む。
【手続補正４】
【補正対象書類名】明細書
【補正対象項目名】００１４
【補正方法】変更
【補正の内容】
【００１４】
本発明の第３の視点に係るプログラムは、
点検業務において点検対象とされる第１の階層の設備の配置を示す第１の配置図、および、第２の階層の設備の配置を示す第２の配置図を記憶手段に保持する処理と、
前記第１の階層の設備の点検箇所を示す第１のアイコン、および、前記第２の配置図に対するリンクを表す第２のアイコンを、前記第１の配置図に重ねてディスプレイに表示する処理と、
前記ディスプレイ上の前記第１のアイコンが選択された場合、前記第１の階層の設備の点検結果を入力または表示するための画面を前記ディスプレイに表示する処理と、
前記ディスプレイ上の前記第２のアイコンが選択された場合、前記第２の階層の設備の点検箇所を示す第３のアイコンを前記第２の配置図に重ねて前記ディスプレイに表示する処理と、をコンピュータに実行させる。
前記プログラムは、前記ディスプレイ上の前記第３のアイコンが選択された場合、前記第２の階層の設備の点検結果を入力または表示するための画面を前記ディスプレイに表示し、表示した画面に入力された点検結果に応じて、前記第２の配置図上における前記第３のアイコンの表示態様を変更するとともに、前記第１の配置図上における前記第２のアイコンの表示態様を変更する処理を前記コンピュータに実行させる。
【国際調査報告】
2014002902.tif 000009
2014002902.tif 000010
2014002902.tif 000011
2014002902.tif 000012